(57)【要約】【課題】機能水生成装置を便器本体に対して着脱可能としながらも、機能水生成装置に接続される管路等の捩れを生じ難くし得る便器装置を提供する。【解決手段】機能水生成装置３０において生成された機能水をボウル部１０に供給する供給口１７ａを備えた便器装置１であって、前記ボウル部の便器奥行方向奥側には、前記機能水生成装置を着脱自在に収納し、上方側に向けて開口する収納凹所２８を設けた下側ケース部２５と、該下側ケース部の上方側を覆うように該下側ケース部に取り付けられる上側ケース部２０と、該収納凹所に収納された前記機能水生成装置の上端部の流入口３２及び流出口３６にそれぞれ接続される管路１５，１７と、が設けられており、前記下側ケース部及び前記機能水生成装置のうちの一方には、上下方向に突出する位置決め突起部２６が設けられ、他方には、該位置決め突起部が嵌め合わされる嵌合部３７が設けられている。【選択図】図１
2019060214.tif 000002
【特許請求の範囲】
【請求項１】
機能水生成装置において生成された機能水をボウル部に供給する供給口を備えた便器装置であって、
前記ボウル部の便器奥行方向奥側には、前記機能水生成装置を着脱自在に収納し、上方側に向けて開口する収納凹所を設けた下側ケース部と、該下側ケース部の上方側を覆うように該下側ケース部に取り付けられる上側ケース部と、該収納凹所に収納された前記機能水生成装置の上端部の流入口及び流出口にそれぞれ接続される管路と、が設けられており、
前記下側ケース部及び前記機能水生成装置のうちの一方には、上下方向に突出する位置決め突起部が設けられ、他方には、該位置決め突起部が嵌め合わされる嵌合部が設けられていることを特徴とする便器装置。
【請求項２】
請求項１において、
前記上側ケース部には、前記下側ケース部に取り付けられた状態で、前記機能水生成装置を上方側から押さえるように該機能水生成装置の上端部の被当接部に当接される当接部が設けられていることを特徴とする便器装置。
【請求項３】
請求項１または２において、
前記位置決め突起部は、前記一方を構成する前記下側ケース部に設けられ、かつ前記上側ケース部を貫通するねじ挿通孔に連通されるねじ穴を設けた構成とされ、
前記嵌合部は、前記他方を構成する前記機能水生成装置の上端部に設けられていることを特徴とする便器装置。
【請求項４】
請求項１乃至３のいずれか１項において、
前記機能水生成装置は、電極が設けられた電解槽内において水を電気分解して除菌液を生成する構成とされていることを特徴とする便器装置。
【発明の詳細な説明】
【技術分野】
【０００１】
本発明は、便器装置に関する。
【背景技術】
【０００２】
従来より、機能水生成装置において生成された除菌液等の機能性を有した機能水をボウル部に供給する構成とされた便器装置が知られている。このような便器装置においては、機能水生成装置の交換やメンテナンスが必要となる。
例えば、下記特許文献１には、接続ケーブルによって接続された殺菌性金属イオン供給手段をロータンク内に設けた構成とし、ロータンクの上蓋を開けることで殺菌性金属イオン供給手段の取り出しを可能とした便器殺菌装置が開示されている。
【先行技術文献】
【特許文献】
【０００３】
【特許文献１】特開２０００−３４３０８１号公報
【発明の概要】
【発明が解決しようとする課題】
【０００４】
しかしながら、上記特許文献１に記載された便器殺菌装置では、殺菌性金属イオン供給手段がロータンク内において定置されるものではないため、接続ケーブルに捩れ等が生じることが懸念される。
【０００５】
本発明は、上記実情に鑑みてなされたものであり、機能水生成装置を便器本体に対して着脱可能としながらも、機能水生成装置に接続される管路等の捩れを生じ難くし得る便器装置を提供することを目的としている。
【課題を解決するための手段】
【０００６】
上記目的を達成するために、本発明に係る便器装置は、機能水生成装置において生成された機能水をボウル部に供給する供給口を備えた便器装置であって、前記ボウル部の便器奥行方向奥側には、前記機能水生成装置を着脱自在に収納し、上方側に向けて開口する収納凹所を設けた下側ケース部と、該下側ケース部の上方側を覆うように該下側ケース部に取り付けられる上側ケース部と、該収納凹所に収納された前記機能水生成装置の上端部の流入口及び流出口にそれぞれ接続される管路と、が設けられており、前記下側ケース部及び前記機能水生成装置のうちの一方には、上下方向に突出する位置決め突起部が設けられ、他方には、該位置決め突起部が嵌め合わされる嵌合部が設けられていることを特徴とする。
【発明の効果】
【０００７】
本発明に係る便器装置は、上述のような構成としたことで、機能水生成装置を便器本体に対して着脱可能としながらも、機能水生成装置に接続される管路等の捩れを生じ難くすることができる。
【図面の簡単な説明】
【０００８】
【図１】本発明の一実施形態に係る便器装置の一例を模式的に示す概略縦断面図である。
【図２】同便器装置が備える機能水生成装置の一例を模式的に示す概略斜視図である。
【図３】同便器装置の一部省略概略縦断面図である。
【図４】同便器装置の一部省略概略分解縦断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、便器装置を設置した状態を基準として、上下方向等を説明する。
【００１０】
図１〜図４は、本実施形態に係る便器装置の一例及びこれが備える機能水生成装置の一例を模式的に示す図である。
本実施形態に係る便器装置１は、図１に示すように、機能水生成装置３０において生成された機能水をボウル部１０に供給する供給口１７ａを備えている。この便器装置１は、腰掛式（いわゆる洋式）とされ、トイレ空間内の床や壁等の設置部に設置される。また、この便器装置１には、上方に向けて開口するすり鉢状とされたボウル部（便鉢）１０の周囲を囲むスカート部や、便器本体に対して便器幅方向に軸方向を沿わせた軸回りに起倒自在（回転自在）とされた便座４及び便蓋５等が設けられている。
【００１１】
また、この便器装置１の適所に、便座４や便蓋５を開閉する開閉装置や、ボウル部１０内を脱臭する脱臭装置、便座４を温める加熱装置、局部を洗浄する局部洗浄装置等の各種機能装置や機構部材を設けた構成としてもよい。また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１２】
また、便器装置１には、水道管等の給水管２に接続される給水機構や、床側または壁側の排水管３に接続される排水機構等が設けられている。
排水機構は、本実施形態では、ボウル部１０の底部に設けられた排水口１２に接続された筒状トラップ１３を駆動機構１４によって回動させて排水及び封水する構成とされたいわゆる機械式排出機構とされている。なお、排水機構としては、このような構成とされたものに限られず、サイホン式やサイホンゼット式、サイホンボルテックス式、ネオボルテックス式、洗い落とし式等の他の排水機構を採用するようにしてもよい。
【００１３】
給水機構は、給水管２に接続され、ボウル部１０に洗浄水を供給する構成とされている。このような給水機構としては、ボウル部１０の周壁部の上端部に周方向に沿って延びるように設けられたリム部１１に沿わせるように洗浄水を給水し、ボウル部１０を洗浄する構成とされたものとしてもよい。図例では、便器装置１を、水洗タンク（ロータンク）を備えていない、いわゆるタンクレスタイプとした例を示しているが、水洗タンクを備えた構成としてもよい。
便器装置１には、給水機構を作動させて洗浄水をボウル部１０に供給する洗浄操作部が設けられている。このような洗浄操作部としては、リモコン装置に設けられた操作ボタンやレバー等に限られず、人体検知センサーや着座センサー等の各種センサーを洗浄操作部として把握、つまり、検知有無を操作と把握するような態様としてもよい。この給水機構の洗浄操作がなされれば、リム部１１に沿うように洗浄水が供給され、ボウル部１０内面の洗浄がなされる。
【００１４】
また、便器装置１の便器奥行方向奥側には、図１に示すように、機能水生成装置３０の上端部に設けられた流入口３２及び流出口３６にそれぞれ接続される管路１５，１７が設けられている。管路１５，１７は、機能水生成装置３０の流入口３２に接続される上流側管路１５と、機能水生成装置３０の流出口３６に接続される下流側管路１７と、を備えている。
上流側管路１５は、給水元となる給水管２に接続され、機能水生成装置３０への給水を供給または遮断する給水弁１６を設けた構成とされている。なお、この上流側管路１５は、当該便器装置１の給水機構の洗浄水供給路から分岐して設けられたものでもよい。
【００１５】
下流側管路１７には、機能水生成装置３０において生成された機能水を供給または遮断する供給弁１８が設けられている。この供給弁１８及び上記した給水弁１６は、開閉弁（ＯＮ／ＯＦＦ弁）でもよい。なお、このような供給弁１８を設けずに、逆止弁等の逆流防止機構を設けた構成としてもよい。
また、下流側管路１７の末端には、ボウル部１０に向けて機能水を供給する供給口１７ａが設けられている。本実施形態では、供給口１７ａを、ボウル部１０の便器奥行方向奥側に位置するように設け、ボウル部１０の内面に向けて機能水を散布するように供給する構成としている。このような供給口１７ａとしては、機能水を放射状に噴出させるノズル等でもよく、どのようなものでもよい。なお、機能水を供給する供給口１７ａとしては、このような構成とされたものに限られず、ボウル部１０に洗浄水を供給する給水機構の供給口としてもよい。つまり、リム部１１に沿わせるように機能水（または機能水を混合させた洗浄水）を供給する構成とされたものでもよい。
【００１６】
また、便器装置１の便器奥行方向奥側には、図３及び図４に示すように、機能水生成装置３０を着脱自在に収納し、上方側に向けて開口する収納凹所２８を設けた下側ケース部２５が設けられている。また、便器装置１の便器奥行方向奥側には、下側ケース部２５の上方側を覆うように下側ケース部２５に取り付けられる上側ケース部２０が設けられている。また、下側ケース部２５及び機能水生成装置３０のうちの一方には、上下方向に突出する位置決め突起部２６が設けられ、他方には、この位置決め突起部２６が嵌め合わされる嵌合部３７が設けられている。
【００１７】
本実施形態では、下側ケース部２５及び機能水生成装置３０のうちの一方としての下側ケース部２５に位置決め突起部２６を設け、他方としての機能水生成装置３０に嵌合部３７を設けた構成としている。また、本実施形態では、位置決め突起部２６を、機能水生成装置３０の上端部に設けられた嵌合部３７に嵌め合わされる構成としている。
また、本実施形態では、機能水生成装置３０に、機能水生成装置３０の下端側を位置決めする下端側位置決め突起部３５を設け、下側ケース部２５に、この下端側位置決め突起部３５が嵌め合わされる下端側嵌合部２９を設けた構成としている。
また、本実施形態では、上側ケース部２０に、下側ケース部２５に取り付けられた状態で、機能水生成装置３０を上方側から押さえるように機能水生成装置３０の上端部の被当接部３９に当接される当接部２４ａを設けた構成としている。なお、上側ケース部２０及び下側ケース部２５の構成については後述する。
【００１８】
機能水生成装置３０は、本実施形態では、電極３１ａ，３１ａが設けられた電解槽３１内において水を電気分解して除菌液を生成する構成とされている。また、機能水生成装置３０は、水を電気分解して除菌液としてのオゾン水を生成する構成とされている。つまり、機能水生成装置３０は、電解式とされている。
一対の電極３１ａ，３１ａは、電源に接続され、陽極及び陰極を構成する。これら一対の電極３１ａ，３１ａ間には、ダイヤモンド電極やイオン交換膜３１ｂが設けられている。この機能水生成装置３０が起動されて給水弁１６が開放され、電極３１ａ，３１ａに通電されれば、電解槽３１内に導入された水が電気分解されてオゾンガスが生成され、このオゾンガスが溶解部において水に溶解されてオゾン水が生成される。なお、機能水生成装置３０が起動されれば直ちに、または起動されてから所定の遅延時間が経過すれば、供給弁１８を開放させるようにしてもよい。
【００１９】
また、機能水生成装置３０の電解槽３１は、図２〜図４に示すように、上下方向に長尺状とされている。この電解槽３１は、下端側に流入口３２に連通される導入口を設け、上端側に流出口３６を構成する流出側接続部に連通される導出口を設けた構成とされている（図１も参照）。
本実施形態では、図１及び図２に示すように、機能水生成装置３０の上端部に設けられた流入口３２と電解槽３１の下端側の導入口とを接続する接続管路３３を電解槽３１の側部に沿わせるように設けた構成としている。また、電解槽３１の側部には、この接続管路３３を覆うように側部カバー３４が設けられている。この側部カバー３４の上端部に、流入口３２を構成する流入側接続部が設けられている。
また、この側部カバー３４の下端部に、下方側に向けて突出するように下端側位置決め突起部３５が設けられている。この下端側位置決め突起部３５は、電解槽３１の下方側を覆うように設けられた側部カバー３４の下端側部位に設けられている。
【００２０】
機能水生成装置３０の上端部の嵌合部３７は、後記する下側ケース部２５の位置決め突起部２６を受入可能なように上下方向に向けて開口する凹状とされている。本実施形態では、嵌合部３７は、位置決め突起部２６が挿通される上下方向に貫通する貫通孔状とされている。図例では、嵌合部３７を、貫通方向に見て略円形孔状とした例を示している。この嵌合部３７は、電解槽３１の上端部から水平方向一方側（便器幅方向中央側）に向けて突出する突出部の先端部に設けられている。なお、嵌合部３７は、閉環状とされたものに限られず、開環状とされたものでもよい。
機能水生成装置３０の上端部の被当接部３９は、この突出部の基端側に設けられている。また、被当接部３９は、上方側に向けて開口する受入凹所３８の底部とされている。
また、機能水生成装置３０の上端部には、図示を省略しているが、電源ケーブルが接続されるケーブル接続部が設けられている。
【００２１】
なお、機能水生成装置３０の構成によっては、オゾンガスを水に溶解させる気液混合部を機能水生成装置３０の下流側等に設けた構成としてもよい。このような気液混合部としては、例えば、圧壊式や、せん断式、加圧溶解式、エジェクタ式等の適宜の構成とされたものでもよい。また、機能水生成装置３０を、オゾン濃度変更可能な構成とされたものとしてもよい。また、このような電解式の機能水生成装置３０としては、上記したような構成とされたものに限られず、種々の構成とされたものでもよい。また、除菌液としては、オゾン水に限られず、例えば、次亜塩素酸水や強酸性水、次亜塩素酸ナトリウム溶液、過酸化水素水等でもよい。
【００２２】
上側ケース部２０及び下側ケース部２５は、図３及び図４に示すように、便器装置１の便器奥行方向奥側の外郭を構成するように設けられ、上下に分割されている。これら上側ケース部２０及び下側ケース部２５には、上記した種々の機構部や、各部を制御する制御部１９を含む基板等が内蔵されている。
下側ケース部２５の収納凹所２８は、便器装置１の便器幅方向一方側に設けられている。この収納凹所２８は、便器装置１の便器奥行方向奥側部位においてボウル部１０近傍、つまり、手前側に位置するように設けられている。
また、この収納凹所２８は、機能水生成装置３０の上端側を露出させた状態で機能水生成装置３０の下端側部位を収納する構成とされている。また、この収納凹所２８の底部には、上方側に向けて開口し、下端側位置決め突起部３５が嵌め込まれる下端側嵌合部２９が設けられている。本実施形態では、この下端側嵌合部２９を、収納凹所２８の底部を区画する底板部を貫通するように設けられた貫通孔状としている。
【００２３】
また、下側ケース部２５の位置決め突起部２６は、上方側に向けて突出するように設けられている。この位置決め突起部２６は、収納凹所２８の開口縁部近傍部位に設けられている。また、位置決め突起部２６は、略円形孔状とされた嵌合部３７に対応させて略円柱状とされている。また、本実施形態では、位置決め突起部２６を、基端側よりも先端（上端）側が小径状とされたものとしている。また、位置決め突起部２６に、基端側大径部２６ｃと、この基端側大径部２６ｃよりも小径状とされ、嵌合部３７に嵌め込まれる中段被嵌合部２６ｂと、この中段被嵌合部２６ｂよりも小径状とされた先端側小径部２６ａと、を設けた構成としている。このような構成とすれば、嵌合部３７に位置決め突起部２６を容易に嵌め込むことができる。
【００２４】
また、基端側大径部２６ｃと中段被嵌合部２６ｂとの境界部に段部を設け、中段被嵌合部２６ｂと先端側小径部２６ａとの境界部に段部を設けた構成としている。基端側大径部２６ｃと中段被嵌合部２６ｂとの境界部の段部に、嵌合部３７の下側開口周縁部が当接される。また、先端側小径部２６ａの径（外径）は、嵌合部３７の内径よりも小径とされ、中段被嵌合部２６ｂの径（外径）は、嵌合部３７の内径と概ね同径とされ、基端側大径部２６ｃの径（外径）は、嵌合部３７の内径よりも大径とされている。
また、位置決め突起部２６には、上側ケース部２０を貫通するねじ挿通孔２２に連通されるねじ穴２７が設けられている。このねじ穴２７は、上方側に向けて開口するように設けられている。
【００２５】
上側ケース部２０のねじ挿通孔２２は、上側ケース部２０の下面側（下側ケース部２５に向く側）から下方側に向けて突出するように設けられた筒状部２１の先端部（下端部）に設けられている。この筒状部２１のねじ挿通孔２２の周囲には、その上下の中空部よりも小径状となるように段部が設けられており、この段部の上面側がねじ６の座面となる。
また、この筒状部２１の先端部には、位置決め突起部２６の先端部を受け入れる先端受入凹所２３が下方側に向けて開口するように設けられている。先端受入凹所２３の開口が筒状部２１の先端側の開口を構成する。また、この先端受入凹所２３の底側は、ねじ挿通孔２２の周囲の段部の下面によって区画され、この段部の下面に、位置決め突起部２６のの先端部が当接される。
【００２６】
また、筒状部２１の上側ケース部２０の表面側の開口は、キャップ部材によって開放可能に封止されている。このキャップ部材を取り外すことで、ねじ挿通孔２２に挿通させたねじ６を位置決め突起部２６のねじ穴２７に対して締緩させることができる。なお、上側ケース部２０を下側ケース部２５に取り付けるためのねじ及びねじ穴は、図示を省略しているが、他の複数箇所にも設けられている。
また、上側ケース部２０の当接部２４ａは、上側ケース部２０の下面側から下方側に向けて突出するように設けられた柱状部２４の先端部とされている。この柱状部２４は、上側ケース部２０を下側ケース部２５に取り付けた状態では、上記した機能水生成装置３０の受入凹所３８にその先端部が差し入れられ、その先端の当接部２４ａが被当接部３９に当接される。
【００２７】
また、柱状部２４は、筒状部２１の側方近傍に位置するように設けられている。図例では、柱状部２４を、筒状部２１の便器幅方向外側に位置するように設けた例を示している。また、柱状部２４の基端部と筒状部２１の基端部とを一体的に設けた例を示している。なお、ねじ挿通孔２２を設けた筒状部２１や当接部２４ａを設けた柱状部２４としては、上記したような構成に限られず、その他、種々の変形が可能である。
【００２８】
本実施形態に係る便器装置１は、上述のような構成としたことで、機能水生成装置３０を便器本体に対して着脱可能としながらも、機能水生成装置３０に接続される管路１５，１７等の捩れを生じ難くすることができる。
つまり、ボウル部１０の便器奥行方向奥側に、機能水生成装置３０を着脱自在に収納し、上方側に向けて開口する収納凹所２８が設けられた下側ケース部２５を設けた構成としている。従って、機能水生成装置３０を収納凹所２８に対して上下方向に移動させて便器本体に対して着脱させることができる。
【００２９】
また、下側ケース部２５及び機能水生成装置３０のうちの一方に、上下方向に延びる位置決め突起部２６を設け、他方に、位置決め突起部２６が嵌め合わされる嵌合部３７を設けた構成としている。従って、機能水生成装置３０を収納凹所２８に収納させれば、上記のように、位置決め突起部２６が嵌合部３７に嵌め合わされ、機能水生成装置３０の水平方向の位置決めがなされる。これにより、機能水生成装置３０に接続される管路１５，１７等の捩れを生じ難くすることができる。
また、便器本体側に設けられた管路１５，１７が接続される流入口３２及び流出口３６を、機能水生成装置３０の上端部に設けた構成としている。従って、機能水生成装置３０の下端部に流入口３２及び流出口３６の両方または一方を設けたものと比べて、接続性やシール性を向上させることができ、また、これらに接続される管路１５，１７が捩れるようなことをより効果的に抑制することができる。
【００３０】
また、本実施形態では、機能水生成装置３０を、電極３１ａ，３１ａが設けられた電解槽３１内において水を電気分解して除菌液を生成する構成としている。従って、ボウル部１０に除菌液を供給することができる。また、電極３１ａ，３１ａやイオン交換膜３１ｂ等が劣化した場合にも機能水生成装置３０を便器本体から取り外すことで、交換やメンテナンスを容易に行うことができる。なお、機能水生成装置３０は、除菌液に限られず、汚物除去性を高めた水等、他の機能水を生成するものでもよい。
【００３１】
また、本実施形態では、上側ケース部２０に、下側ケース部２５に取り付けられた状態で、機能水生成装置３０を上方側から押さえるように機能水生成装置３０の上端部の被当接部３９に当接される当接部２４ａを設けた構成としている。従って、上記した位置決め突起部２６及び嵌合部３７による水平方向の位置決めに加え、上側ケース部２０の当接部２４ａによって機能水生成装置３０の上下方向へ位置決めがなされるので、機能水生成装置３０のがたつきを抑制することができる。なお、このような当接部２４ａや被当接部３９を設けていない構成としてもよい。
【００３２】
また、本実施形態では、位置決め突起部２６を、下側ケース部２５に設け、かつ上側ケース部２０を貫通するねじ挿通孔２２に連通されるねじ穴２７を設けた構成としている。従って、ねじ挿通孔２２を介してねじ穴２７にねじ６を締結すれば、位置決め突起部２６が上側ケース部２０に対しても固定的に設けられることになり、この位置決め突起部２６に嵌め合わされる嵌合部３７を比較的に強固に位置決めすることができる。また、機能水生成装置３０の上端部に嵌合部３７を設けた構成としているので、上記のように流入口３２及び流出口３６が設けられた機能水生成装置３０の上端側の水平方向へのがたつきを抑制することができる。なお、位置決め突起部２６に、上側ケース部２０のねじ挿通孔２２に連通されるねじ穴２７を設けていない構成としてもよい。
【００３３】
また、本実施形態では、上側ケース部２０に、位置決め突起部２６の先端部を受け入れる先端受入凹所２３を設けた構成としている。従って、位置決め突起部２６の先端側の位置ずれ等を抑制することができる。
また、本実施形態では、機能水生成装置３０に、機能水生成装置３０の下端側を位置決めする下端側位置決め突起部３５を設け、下側ケース部２５に、この下端側位置決め突起部３５が嵌め合わされる下端側嵌合部２９を設けた構成としている。従って、機能水生成装置３０の下端側の水平方向の位置決めがなされる。なお、機能水生成装置３０の下端側に下端側嵌合部を設け、収納凹所２８の底側に下端側位置決め突起部を設けた構成としてもよい。
【００３４】
また、本実施形態では、機能水生成装置３０の上端側を位置決めする位置決め突起部２６を下側ケース部２５に設け、嵌合部３７を機能水生成装置３０に設けた例を示しているが、逆側に設けた構成としてもよい。つまり、機能水生成装置３０の上端側を位置決めする位置決め突起部を機能水生成装置３０に設け、嵌合部を下側ケース部２５に設けた構成としてもよい。また、本実施形態では、機能水生成装置３０の上端側を位置決めする位置決め突起部２６及び嵌合部３７を設けた例を示しているが、機能水生成装置３０の上下方向途中部位を位置決めする位置決め突起部及び嵌合部を設けた構成等としてもよい。さらには、上記した下端側位置決め突起部を下側ケース部２５及び機能水生成装置３０のうちの一方に設けられた位置決め突起部として把握し、下端側嵌合部を他方に設けられた嵌合部として把握するようにしてもよい。本実施形態に係る便器装置１の各部の構成は、一例に過ぎず、その他、種々の変形が可能である。
【符号の説明】
【００３５】
１      便器装置
１０    ボウル部
１５    上流側管路（管路）
１７    下流側管路（管路）
１７ａ  供給口
２０    上側ケース部
２２    ねじ挿通孔
２５    下側ケース部
２４ａ  当接部
２６    位置決め突起部
２７    ねじ穴
２８    収納凹所
３０    機能水生成装置
３１    電解槽
３１ａ  電極
３２    流入口
３６    流出口
３７    嵌合部
３９    被当接部
【図１】
2019060214.tif 000003
【図２】
2019060214.tif 000004
【図３】
2019060214.tif 000005
【図４】
2019060214.tif 000006